(57)【要約】      （修正有）【課題】ファンとベルマウスとの間で水滴等が氷結するのを防止する。【解決手段】空気調和機用室外機は、ファン２を収納するケースと、ケースに収納されるファンによって生じる気流の吹出口を形成するベルマウス３と、ベルマウスによって形成された吹出口を覆う吹出グリルと、吹出口の上方にケースと密着して吹出グリル４側へ突出した庇部材５を備える。特に、庇部材５は、吹出グリル４との間に隙間を空けて設けられ、ファンとベルマウスとの間に水滴が流れ込むことを防止する。【選択図】図１
2011002167.tif 000002
【特許請求の範囲】
【請求項１】
ファンを収納するケースと、
前記ケースに収納される前記ファンによって生じる気流の吹出口を形成するベルマウスと、
前記ベルマウスによって形成された前記吹出口を覆う吹出グリルと、
前記吹出口の上方に前記ケースと密着して設けられ、前記吹出グリル側へ突出した庇部材であって、前記吹出グリルとの間に隙間を空けて設けられた庇部材と
を備えることを特徴とする空気調和機用室外機。
【請求項２】
前記庇部材は、幅方向の両端が下方へ傾斜した
ことを特徴とする請求項１に記載の空気調和機用室外機。
【請求項３】
前記庇部材は、前記ケース側から前記吹出グリル側へ向かって下方へ傾斜した
ことを特徴とする請求項１又は２に記載の空気調和機用室外機。
【請求項４】
前記庇部材は、前記吹出グリル側へ突出した突出部と、前記ケースと平行な面であって、前記ケースと密着する密着部とを有する
ことを特徴とする請求項１から３までのいずれかに記載の空気調和機用室外機。
【請求項５】
前記庇部材は、難燃性プラスチックにより形成された
ことを特徴とする請求項１から４までのいずれかに記載の空気調和機用室外機。
【発明の詳細な説明】
【技術分野】
【０００１】
この発明は、例えば、ファンとベルマウスとの間で水滴等が氷結するのを防止した空気調和機用室外機に関する。
【背景技術】
【０００２】
空気調和機用室外機において、暖房運転中に雨や雪等によりケースの前面パネル表面に付いた水滴や、ケースの上部に乗っている雪が溶けた水滴が、前面パネルの表面に沿って落下し、ベルマウスとファンの間に侵入する。外気温度が低い場合には、ファンの吹出空気の温度が氷点以下となることがある。このような場合には、ベルマウスとファンとの間に侵入した水滴が氷結する。特に、水滴の量が多いと氷結した氷が成長してファンと接触して異常音を発生することや、ファンの回転を妨げ、室外機が異常停止することがある。
【０００３】
特許文献１には、ファンとベルマウスとの間で水滴等が氷結することを防止するため、吹出口の上方に吹出口の径以上の幅を有してケースと吹出グリルとの間をシールするシール部材が設けられた空気調和機用室外機についての記載がある。
【先行技術文献】
【特許文献】
【０００４】
【特許文献１】実開平４−１３２３３６号公報
【発明の概要】
【発明が解決しようとする課題】
【０００５】
しかし、従来のように、ケースと吹出グリルとの間を塞いで、水滴がベルマウス部分に流れ込まないようにした場合、次のような課題がある。
（１）通常、吹出グリルは、鉄線を溶接して形成される。しかし、ケースと吹出グリルの上部の間をシールするために、吹出グリルの外周、少なくとも上辺に額縁状の縁が必要となる。吹出グリルに縁を形成すると、外観の意匠性を損なう。また、吹出グリルに縁を形成するためには、鉄線部分に板状の部品を組み合わせる必要があり、製造コストが高くなる。
（２）通常、吹出グリルは四隅をケースにねじ止め固定される。しかし、吹出グリルの四隅のみをケースにねじ止め固定するだけでは、吹出グリルがガタツキ、振動してしまい、中央部分の隙間をシール部材によって塞ぐことが難しい。そのため、ケースと吹出グリルの上部の間をシールするには、吹出グリルをケースに固定するねじを増やす必要がある。ねじを増やすと、外観の意匠性を損ない、製造等における作業効率が悪化する。
さらに、吹出グリルをケースにねじ止め固定する箇所を減らす方法として、両端のみを固定して、中間部分は吹出グリル自体の弾性を利用してケースに押し当てる方法がある。これにより、ねじ止め固定する箇所を減らしつつ、吹出グリルのガタツキや振動音の発生を抑制できる。しかし、この方法を用いるには、吹出グリルを両端部から中央部にかけて若干たわませた状態でケースに固定する必要がある。そのため、この方法を用いるとともに、ケースと吹出グリルの上部の間をシールした場合、シール部材の形状をたわませた吹出グリルに合わせて曲線にしなければならず、確実にシールすることが難しい。
（３）ケースと吹出グリルの上部の間をシールするために用いるシール部材には、厚さと同程度の幅が必要である。そのため、通常、吹出グリルの上端（上側の面）よりも１０ｍｍ以上下がった位置にまでシール部材による壁ができる。ここで、空気調和機用室外機は、製品サイズを小型化しつつ、性能をよくするため、ファンの径をケースに対して最大に設定する必要がある。しかし、吹出グリルの上端よりも１０ｍｍ以上下がった位置に壁ができると、特に吹出口の上側中央部でシール部材が、ファンによって生じた気流の風路側へ突出してしまう。つまり、シール部材が、ファンによって生じた気流を阻害してしまう。そのため、騒音が増加するとともに、空力性能が悪化する。
【０００６】
つまり、特許文献１に記載されたように、ケースと吹出グリルとの間を塞いで、水滴がベルマウス部分に流れ込まない空気調和機用室外機を実現した場合、複雑な構造をとらなければならず、外観意匠性を損なうとともに、製造コストが増加し、作業性が悪化する。
この発明は、例えば、簡易的な構造によって、ファンとベルマウスとの間に水滴が流れ込むことを防止することを目的とする。
【課題を解決するための手段】
【０００７】
この発明に係る空気調和機用室外機は、例えば、
ファンを収納するケースと、
前記ケースに収納される前記ファンによって生じる気流の吹出口を形成するベルマウスと、
前記ベルマウスによって形成された前記吹出口を覆う吹出グリルと、
前記吹出口の上方に前記ケースと密着して設けられ、前記吹出グリル側へ突出した庇部材であって、前記吹出グリルとの間に隙間を空けて設けられた庇部材と
を備えることを特徴とする。
【発明の効果】
【０００８】
この発明に係る空気調和機用室外機によれば、簡易的な構造によって、ファンとベルマウスとの間に水滴が流れ込むことを防止することができる。
【図面の簡単な説明】
【０００９】
【図１】実施の形態１に係る空気調和機用室外機の斜視図。
【図２】前面パネル１と庇部材５と吹出グリル４とが分解された状態を示す図。
【図３】前面パネル１に庇部材５が取り付けられ、吹出グリル４が分解された状態を示す図。
【図４】前面パネル１に庇部材５と吹出グリル４とが取り付けられた状態を示す図。
【図５】実施の形態１に係る空気調和機用室外機の前面部分の斜視図であって、上側部分の拡大図。
【図６】実施の形態１に係る庇部材５の前面斜視図。
【図７】実施の形態１に係る庇部材５の背面斜視図。
【図８】実施の形態１に係る空気調和機用室外機の上側部分の断面図。
【図９】前面パネル１に庇部材５が取り付けられ、吹出グリル４が分解された状態を示す図。
【図１０】前面パネル１に庇部材５と吹出グリル４とが取り付けられた状態を示す図。
【図１１】実施の形態２に係る庇部材５の前面斜視図。
【図１２】実施の形態２に係る庇部材５の背面斜視図。
【発明を実施するための形態】
【００１０】
実施の形態１．
実施の形態１に係る空気調和機用室外機について、図１から図８に基づき説明する。
図１は、実施の形態１に係る空気調和機用室外機の斜視図である。
図２から図４は、実施の形態１に係る空気調和機用室外機の前面部分の斜視図である。特に、図２は、前面パネル１と庇部材５と吹出グリル４とが分解された状態を示す図である。図３は、前面パネル１に庇部材５が取り付けられ、吹出グリル４が分解された状態を示す図である。図４は、前面パネル１に庇部材５と吹出グリル４とが取り付けられた状態を示す図である。
図５は、実施の形態１に係る空気調和機用室外機の前面部分の斜視図であって、上側部分の拡大図である。図５では、吹出グリル４を外した状態を示す。
図６は、実施の形態１に係る庇部材５の前面斜視図である。
図７は、実施の形態１に係る庇部材５の背面斜視図である。
図８は、実施の形態１に係る空気調和機用室外機の上側部分の断面図である。特に、図８（ａ）は、図８（ｂ）に示すＡ−Ａ’断面図であり、図８（ｂ）は、図８（ａ）の位置を示すための図であり、実施の形態１に係る空気調和機用室外機の前面部分を示す図であって、図１の破線部１６部分を示す図である。なお、図８（ａ）の破線矢印は、水滴の流れを示す。
【００１１】
図１に示すように、実施の形態１に係る空気調和機用室外機は、前面パネル１等によって構成されるケース（室外機本体）と、ケースに収納されるファン２（プロペラファン）と、ファン２で生じた気流の吹出口を形成する円筒形のベルマウス３と、ベルマウス３によって形成された吹出口の前面を覆う略正方形の吹出グリル４と、吹出口の上方に設けられた庇部材５とを備える。
【００１２】
図２に示すように、ベルマウス３は、略正方形のベルマウス周辺部１７とともに前面パネル１と一体であり、板金の絞り加工により成形される。もちろん、ベルマウス３とベルマウス周辺部１７と前面パネル１とが別体となっていてもよい。
ベルマウス周辺部１７は、前面パネル１部分よりもケースの内側方向へ少し凹んで形成される。また、ベルマウス３は、前面パネル１付近が、ケースの内側から前面パネル１側へ向かって、徐々に径が大きくなっている。つまり、ベルマウス３は、前面パネル１付近がラッパ状に広がっている。すなわち、ベルマウス３は、ケースの内側部分の径（図３のＷ２）よりも、ベルマウス周辺部１７付近の径（図３のＷ３）の方が大きい。
【００１３】
図２に示すように、ベルマウス周辺部１７の上部には、庇部材５を取り付けるための角穴６が設けられている。また、図７に示すように、庇部材５には、背面側に爪部７が設けられる。
ベルマウス周辺部１７部分に設けられた角穴６に、庇部材５に設けられた爪部７が挿入され、爪部７の弾性によって爪部７が角穴６に嵌合して、図３に示すように前面パネル１に庇部材５が固定される。
【００１４】
図２，３，５に示すように、ベルマウス周辺部１７の上部の左右両端部付近には、吹出グリル４を取り付けるためのＵ字形のグリル取付穴１１が設けられ、ベルマウス周辺部１７の下部の左右両端部付近には、吹出グリル４を取り付けるためのねじ穴１４が設けられている。また、吹出グリル４は、鉄線を溶接して組み立てた網状の部品であり、図２，３に示すように、吹出グリル４には、上部の左右両端に鉄線の延長部１２が設けられるとともに、下部の左右両端にねじを通すためのねじ固定部１５が設けられる。
前面パネル１に庇部材５が取り付けられた状態で、ベルマウス周辺部１７部分に設けられたグリル取付穴１１に、吹出グリル４の延長部１２が挿入され、さらに、ベルマウス周辺部１７部分に設けられたねじ穴１４に、吹出グリル４のねじ固定部１５を通ったねじが挿入され固定される。これにより、図４に示すように前面パネル１に吹出グリル４が固定される。
【００１５】
ここで、庇部材５は、図３に示すように、前面パネル１に設けられたベルマウス周辺部１７の幅Ｗ１と同等の横幅を有する。つまり、庇部材５は、吹出口の横幅Ｗ２（ケースの内側部分におけるベルマウス３の径）以上の幅を有する。なお、庇部材５は、ベルマウス周辺部１７付近の径Ｗ３以上の幅を有することが望ましい。
また、図５，６等に示すように、庇部材５は、前面パネル１に取り付けられた場合に、吹出グリル４側へ突出する突出部９と、前面パネル１に取り付けられた場合に、前面パネル１の面と略平行となる面であって、前面パネル１と密着する密着部１０とを有する。特に、図７に示すように、密着部１０の背面部と前面パネル１との間には、シール部材８が設けられ、密着部１０と前面パネル１とが隙間無く密着するようになっている。
また、図８（ａ）に示すように、突出部９は、先端へ向かって下方へ若干傾斜している。つまり、庇部材５が前面パネル１に取り付けられた場合に、突出部９は前面パネル１側から吹出グリル４側へ向かって下方へ傾斜している。
【００１６】
なお、図８（ａ）に示すように、前面パネル１に庇部材５と吹出グリル４とが取り付けられた場合、庇部材５の突出部９の先端と、吹出グリル４との間には、２〜１０ｍｍ程度の隙間Ｗ３が空いている。
【００１７】
そのため、実施の形態１に係る空気調和機用室外機では、図８（ａ）に破線矢印で示すように、前面パネル１の上部から前面パネル１の表面を伝わってベルマウス３側へ水滴が流れ落ちた場合に、水滴は庇部材５の樋状となった突出部９を流れて、吹出グリル４側へ流れ落ちる。つまり、ベルマウス３とファン２との間へ水滴が流れることを防ぐことができる。
特に、庇部材５の密着部１０は、前面パネル１と平行な面であり、前面パネル１との間にシール部材８を有する。そのため、前面パネル１と庇部材５との間は、水密状態となっており、前面パネル１と庇部材５との間を通ってベルマウス３側へ水滴が流れることはない。
したがって、外気温度が低く、ファン２の吹出空気温度が氷点以下になった場合であっても、ファン２とベルマウス３との間で氷結が生じることがなく、氷結によるファン２の異常音発生等を防止することができる。
【００１８】
また、実施の形態１に係る空気調和機用室外機では、前面パネル１と吹出グリル４との間に隙間を空けている。つまり、前面パネル１と吹出グリル４との間をシール部材により塞いでいない。そのため、従来のように、吹出グリルに額縁状の縁を設ける必要がない。したがって、外観の意匠性や製造コストの面で優れている。
特に、図４に示すように、実施の形態１に係る空気調和機用室外機では、前面パネル１に庇部材５が取り付けられた状態で、前面パネル１に吹出グリル４が取り付けられると、庇部材５の密着部１０の一部が吹出グリル４の上方へ出るものの、大部分が吹出グリル４によって覆われる。したがって、庇部材５が外部から目立たず、意匠性が高い。
【００１９】
また、実施の形態１に係る空気調和機用室外機では、吹出グリル４の中間部分を吹出グリル４自体の弾性を利用してケースに押し当てる方法を容易に採用することができる。
図２，３に示すように、吹出グリル４には、四隅に設けられた延長部１２とねじ固定部１５との間に、複数の接触部１３が設けられる。吹出グリル４を前面パネル１に取り付ける場合に、吹出グリル４をたわませて前面パネル１に取り付けることで、各接触部１３が前面パネル１と接触する。なお、図６，７に示すように、庇部材５の密着部１０には、吹出グリル４の接触部１３を貫通させるための切り欠き１８が設けられる。つまり、接触部１３のうち、吹出グリル４の上側に設けられた接触部１３は、庇部材５の密着部１０に設けられた切り欠き１８を貫通して、直接前面パネル１に接触する。
ここで、実施の形態１に係る空気調和機用室外機では、庇部材５と吹出グリル４との間に隙間を空けている。したがって、この隙間の分、吹出グリル４をたわませて前面パネル１に取り付ける余裕がある。また、実施の形態１に係る空気調和機用室外機では、庇部材５と吹出グリル４との間をシール部材で塞ぐ必要がないため、吹出グリル４がたわんで、曲線状になっていることにより、何ら不都合は生じない。したがって、吹出グリル４の中間部分を吹出グリル４自体の弾性を利用してケースに押し当てる方法を容易に採用することができ、ねじを増やす必要がないため、外観の意匠性や製造等の作業性の面で優れている。
さらに、図３，図５〜図７に示すように、実施の形態１に係る空気調和機用室外機では、庇部材５の左右両端は下方へ向かって傾斜しており、吹出グリル４の延長部１２をグリル取付穴１１へ挿入する際、庇部材５が吹出グリル４に干渉することがない。そのため、吹出グリル４を前面パネル１に直接、容易に取り付けることができ、製造等の作業性が非常に高い。
【００２０】
また、実施の形態１に係る空気調和機用室外機では、図５，８に示すように、庇部材５が吹出口側へほとんど突出しない。そのため、ファンによって生じた気流に対する庇部材５の影響が小さく、騒音が増加することや空力性能が悪化することがほとんどない。
図６，７，８（ａ）に示すように、実施の形態１に係る空気調和機用室外機では、庇部材５は、突出部９と密着部１０とによって、左右両端付近では断面形状がＴ字形に形成される。また、左右両端から中央部へ近づくにつれ、徐々に突出部９の下側に形成された密着部１０の幅が狭くなる。そして、中央部付近では密着部１０が突出部９の上側のみに形成され、庇部材５は断面形状がＬ字型に形成される。
つまり、実施の形態１に係る空気調和機用室外機では、庇部材５の設置領域を広く取れる吹出口の横方向端部では、突出部９に対して上側だけでなく下側にも密着部１０が形成される。一方、最も前面パネル１の上端寄りに吹出口が形成され、庇部材５の設置領域が狭くなる吹出口の横方向の中央部付近に近づくにつれ、徐々に突出部９の下側に形成された密着部１０が小さくなり、吹出口の横方向の中央部付近では、突出部９に対して上側にのみ密着部１０が形成される。
また、庇部材５には、密着部１０の幅が広い左右両端よりの位置に、爪部７や切り欠き１８が設けられる。
庇部材５が上記のような形状であり、爪部７や切り欠き１８が上記のような位置に配置されているため、庇部材５の設置領域が狭い吹出口の横方向の中央部付近であっても、密着部１０がファンによって生じた気流の風路側へ突出することを防いでいる。
【００２１】
なお、本発明による庇部材５は、難燃性プラスチックを素材として使用してもよい。これにより、室外機の周囲火災からの延焼を防ぐことができる。また、万一本体の電気品部分からスパーク等が発生した場合であっても、外部に延焼することを防止できる。
【００２２】
実施の形態２．
実施の形態２に係る空気調和機用室外機について、図９から図１２に基づき説明する。なお、実施の形態２に係る空気調和機用室外機について、実施の形態１に係る空気調和機用室外機と異なる部分のみを説明する。
図９、図１０は、実施の形態２に係る空気調和機用室外機の前面部分の斜視図である。特に、図９は、前面パネル１に庇部材５が取り付けられ、吹出グリル４が分解された状態を示す図である。図１０は、前面パネル１に庇部材５と吹出グリル４とが取り付けられた状態を示す図である。
図１１は、実施の形態２に係る庇部材５の前面斜視図である。
図１２は、実施の形態２に係る庇部材５の背面斜視図である。
【００２３】
図９に示すように、前面パネル１には、略八角形のベルマウス周辺部１７が形成される。また、庇部材５は、ベルマウス周辺部１７に沿うような形状に形成される。つまり、八角形の上側の辺と、その辺の左右の下方へ傾斜した２つの辺とに沿うように形成される。
また、図１１，１２に示すように、庇部材５は、全体の断面形状がＬ字形に形成される。つまり、全体に及んで、突出部９の下側のみに密着部１０が形成される。言い換えれば、庇部材５の上端に突出部９が形成される。なお、密着部１０がファンによって生じた気流の風路側へ突出ことを防ぐため、横方向の中央部付近における密着部１０の幅は狭い。
また、図１２に示すように、シール部材８は、庇部材５の密着部１０の上端に沿うように設けられる。つまり、シール部材８は、庇部材５の上端に形成された突出部９に沿うように設けられる。
【００２４】
実施の形態２に係る空気調和機用室外機では、実施の形態１に係る空気調和機用室外機と同様に、ベルマウス３とファン２との間へ水滴が流れることを防ぐことができる。
特に、庇部材５の上端に突出部９が形成されるとともに、シール部材８が突出部９に沿うように設けられるため、前面パネル１と庇部材５との間に水滴が浸入することもない。
【００２５】
また、図１０に示すように、吹出グリル４は、前面パネル１に四隅をねじ止め固定されて取り付けられる。つまり、前面パネル１に庇部材５が取り付けられた状態で、ベルマウス周辺部１７部分に設けられたグリル取付穴１１に、吹出グリル４の延長部１２が挿入され、さらに、ベルマウス周辺部１７部分に設けられた４箇所のねじ穴１４に、吹出グリル４の四隅に設けられたねじ固定部１５を通った４本のねじが挿入され固定される。
このように、四隅をねじ止めする場合であっても、実施の形態１に係る空気調和機用室外機と同様の効果を得ることができる。
【００２６】
以上の実施の形態をまとめると、次のようになる。
空気調和機用室外機は、前面パネルのファンの吹き出し口に、内方に向かって突出する円形のベルマウスを有し、その吹出口の外方を覆う吹出グリルを取り付けた空気調和機の室外機において、
前記吹き出しグリルの内側に、吹出口の径と同等以上の幅を有して、前面パネルから外方に向かって庇部を設け、前記庇部の先端とグリルの格子部には隙間を有することを特徴とする。
【００２７】
また、前記庇部は左右端に向かって下り勾配を持ち、庇部の上面と前記吹き出しグリルの内側の間隔を、中央部分よりも左右端において大きくなるように構成したことを特徴とする。
【００２８】
さらに、前記庇部を形成する部材は、前面パネルの穴に挿入し弾性を利用して固定される爪部を有すると共に、部材の背面にシール材を設け、前面パネルとの間をシールしたことを特徴とする。
【００２９】
また、さらに、前記庇部は前面パネルから外方に向かって下り勾配を持つことを特徴とする。
【００３０】
また、前記庇部の素材に難燃性プラスチックを使用したことを特徴とする。
【符号の説明】
【００３１】
１  前面パネル、２  ファン、３  ベルマウス、４  吹出グリル、５  庇部材、６  角穴、７  爪部、８  シール部材、９  突出部、１０  密着部、１１  グリル取付穴、１２  延長部、１３  接触部、１４  ねじ穴、１５  ねじ固定部、１６  破線部、１７  ベルマウス周辺部、１８  切り欠き。
【図１】
2011002167.tif 000003
【図２】
2011002167.tif 000004
【図３】
2011002167.tif 000005
【図４】
2011002167.tif 000006
【図５】
2011002167.tif 000007
【図６】
2011002167.tif 000008
【図７】
2011002167.tif 000009
【図８】
2011002167.tif 000010
【図９】
2011002167.tif 000011
【図１０】
2011002167.tif 000012
【図１１】
2011002167.tif 000013
【図１２】
2011002167.tif 000014